【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
方法であって、
１次ソースデバイスが、シンクデバイスとワイヤレスメディア共有セッションを確立することと、
前記１次ソースデバイスが、前記シンクデバイスのインターフェースにおける出力のために前記１次ソースデバイスによって生成されたメディアデータを、前記シンクデバイスに前記ワイヤレスメディア共有セッションを介して送信することと、
前記１次ソースデバイスと前記シンクデバイスとの間の前記ワイヤレスメディア共有セッションの動作中に、ワイヤレスリンクを使用して、前記シンクデバイスとの前記ワイヤレスメディア共有セッションへの送信権利を前記１次ソースデバイスから２次ソースデバイスに転送することと、
を備え、前記方法はさらに、
前記１次ソースデバイスが、前記シンクデバイスの前記インターフェースにおける出力のために前記２次ソースデバイスによって生成されたメディアデータを、前記シンクデバイスに前記ワイヤレスメディア共有セッションを介してフォワーディングすること
を備えることを特徴とする、方法。
【請求項２】
前記メディアデータを前記シンクデバイスに送信することは、複数のパケットを送信することを備え、ここにおいて、前記複数のパケットの各パケットがそれぞれのシーケンス番号を含み、ここにおいて、送信権利を転送することは、
前記１次ソースデバイスが、最終シーケンス番号を含む最終パケットを前記シンクデバイスに送信することと、
前記１次ソースデバイスが、シーケンス番号値を備える権利付与済み通信を前記２次ソースデバイスに送信することと、ここにおいて、前記シーケンス番号値が前記最終シーケンス番号の値に対応する、
を備える、請求項１に記載の方法。
【請求項３】
前記２次ソースデバイスによって生成された前記メディアデータをフォワーディングすることは、
前記１次ソースデバイスが、前記２次ソースデバイスから、第１のシーケンス番号および前記２次ソースデバイスによって生成された前記メディアデータを含む第１のパケットを受信することと、ここにおいて、前記第１のシーケンス番号が前記最終シーケンス番号＋１に等しい、
前記１次ソースデバイスが、前記２次ソースデバイスから受信された前記パケットを前記シンクデバイスに送信することと
を備える、請求項２に記載の方法。
【請求項４】
前記１次ソースデバイスが、前記２次ソースデバイスから権利要求通信を受信すること
をさらに備え、
ここにおいて、前記権利要求通信を受信したことに応答して、前記送信権利が前記１次ソースデバイスから前記２次ソースデバイスに転送される、請求項１に記載の方法。
【請求項５】
前記２次ソースデバイスが第１の２次ソースデバイスであり、前記方法は、
前記１次ソースデバイスが、第２の２次ソースデバイスが前記送信権利を有すると決定することと、
前記１次ソースデバイスが、前記第２の２次ソースデバイスに権利解放通信を送信することと、
前記１次ソースデバイスが、前記第２の２次ソースデバイスから、最終シーケンス番号を含む最終パケットを受信することと、
前記１次ソースデバイスが、前記第２の２次ソースデバイスから、権利解放済み通信を受信することと
をさらに備え、
ここにおいて、前記権利解放済み通信を受信したことに応答して、前記送信権利が前記１次ソースデバイスから前記第１の２次ソースデバイスに転送され、ここにおいて、前記１次ソースデバイスが、前記第１の２次ソースデバイスに前記送信権利を転送することは、
前記１次ソースデバイスが、シーケンス番号値を備える権利付与済み通信を前記第１の２次ソースデバイスに送信すること、ここにおいて、前記シーケンス番号値が前記最終シーケンス番号の値に対応する、
を備える、請求項４に記載の方法。
【請求項６】
前記１次ソースデバイスがグループを確立すること、ここにおいて、前記１次ソースデバイスがグループ所有者であり、ここにおいて、前記２次ソースデバイスがグループメンバーである、
をさらに備える、請求項１に記載の方法。
【請求項７】
前記１次ソースデバイスのクロックを前記２次ソースデバイスのクロックと同期させること
をさらに備える、請求項１に記載の方法。
【請求項８】
１次ソースデバイスであって、
前記１次ソースデバイスとシンクデバイスとの間のワイヤレスメディア共有セッションを確立するための手段と、
前記シンクデバイスのインターフェースにおける出力のために前記１次ソースデバイスによって生成されたメディアデータを、前記シンクデバイスに前記ワイヤレスメディア共有セッションを介して送信するための手段と、
前記ワイヤレスメディア共有セッションの動作中に、ワイヤレスリンクを使用して、前記シンクデバイスとの前記ワイヤレスメディア共有セッションへの送信権利を前記１次ソースデバイスから２次ソースデバイスに転送するための手段と、
を備え、前記デバイスはさらに、
前記シンクデバイスの前記インターフェースにおける出力のために前記２次ソースデバイスによって生成されたメディアデータを、前記シンクデバイスに前記ワイヤレスメディア共有セッションを介してフォワーディングするための手段
を備えることを特徴とする、１次ソースデバイス。
【請求項９】
前記メディアデータを前記シンクデバイスに送信するための前記手段は、複数のパケットを送信するための手段を備え、ここにおいて、前記複数のパケットの各パケットがそれぞれのシーケンス番号を含み、ここにおいて、送信権利を転送するための前記手段は、
最終シーケンス番号を含む最終パケットを前記シンクデバイスに送信するための手段と、
シーケンス番号値を備える権利付与済み通信を前記２次ソースデバイスに送信するための手段と、ここにおいて、前記シーケンス番号値が前記最終シーケンス番号の値に対応する、
を備える、請求項８に記載のデバイス。
【請求項１０】
前記２次ソースデバイスによって生成された前記メディアデータをフォワーディングするための前記手段は、
前記２次ソースデバイスから、第１のシーケンス番号および前記２次ソースデバイスによって生成された前記メディアデータを含む第１のパケットを受信するための手段と、ここにおいて、前記第１のシーケンス番号が前記最終シーケンス番号＋１に等しい、
前記２次ソースデバイスから受信された前記パケットを前記シンクデバイスに送信するための手段と
を備える、請求項９に記載のデバイス。
【請求項１１】
前記２次ソースデバイスから権利要求通信を受信するための手段をさらに備え、
ここにおいて、前記権利要求通信を受信したことに応答して、前記送信権利が前記１次ソースデバイスから前記２次ソースデバイスに転送される、請求項８に記載のデバイス。
【請求項１２】
前記２次ソースデバイスが第１の２次ソースデバイスであり、前記デバイスは、
第２の２次ソースデバイスが前記送信権利を有すると決定するための手段と、
前記第２の２次ソースデバイスに権利解放通信を送るための手段と、
前記２次ソースデバイスから、最終シーケンス番号を含む最終パケットを受信するための手段と、
前記第２の２次ソースデバイスから、権利解放済み通信を受信するための手段と
をさらに備え、
ここにおいて、前記権利解放済み通信を受信したことに応答して、前記送信権利が前記１次ソースデバイスから前記第１の２次ソースデバイスに転送され、ここにおいて、前記送信権利を転送するための前記手段は、
シーケンス番号値を備える権利付与済み通信を前記第１の２次ソースデバイスに送信するための手段、ここにおいて、前記シーケンス番号値が前記最終シーケンス番号の値に対応する、
を備える、請求項１１に記載のデバイス。
【請求項１３】
前記１次ソースデバイスがグループを確立するための手段、ここにおいて、前記１次ソースデバイスがグループ所有者であり、ここにおいて、前記２次ソースデバイスがグループメンバーである、
をさらに備える、請求項８に記載のデバイス。
【請求項１４】
実行されたとき、１次ソースデバイスの１つまたは複数のプロセッサに、請求項１乃至７のいずれか一項に記載の方法を行わせる命令を記憶する、非一時的コンピュータ可読記憶媒体。